(57)【要約】【課題】若い夫婦の場合、入眠時に妻が夫の腕を枕にすることはよくあるが、人間の頭は意外に重く、夫の方はすぐに腕がしびれてきて妻が寝入るまでその状態を取り続けることがなかなか難しい。【課題手段】枕のほぼ中央からの横半分を下方向に伸ばし、その下方向に伸ばした部分の裏側に矩形、凹形、ほぼ円形またはほぼ半円形の筒または溝を設け、その中に夫の腕を入れて妻の頭の荷重を和らげる。【選択図】  図１
2006034329.tif 000002
【特許請求の範囲】
【請求項１】
枕であってこれを使用した状態において人間の体軸方向を「縦」、該体軸と直角方向を「横」、頭上の方向を「上」、足下の方向を「下」、重力の方向を「低」、重力と逆の方向を「高」としたとき、低層に硬質板を置き高層に枕材をおいた２重構造の腕枕であって、該硬質板は枕材に接する高面の略横半分に下方に突き出た庇を設け、該硬質板及び該庇を含む全高面を枕材で覆ったことを特徴とする腕枕。
【請求項２】
枕であってこれを使用した状態において人間の体軸方向を「縦」、該体軸と直角方向を「横」、頭上の方向を「上」、足下の方向を「下」、重力の方向を「低」、重力と逆の方向を「高」としたとき、該枕の略中央からの横半分を下方に伸ばし、該下方に伸ばした部分の底面に、矩形、凹形、略円形または略半円形の筒または溝を設けたことを特徴とする腕枕。
【請求項３】
略中央に腕を貫通させて隣人に使用させる腕枕であって、頭を乗せる座面が腕を貸す者の略肩部までを覆い、底面に腕を貫通させる矩形、凹形、略円形または略半円形の筒または溝を設け、該筒または溝の壁となる入り口を該腕を貸す者の脇内まで切り欠いたことを特徴とする腕枕。
【請求項４】
略中央に腕を貫通させて隣人に使用させる腕枕であって、底面に腕を貫通させる矩形、凹形、略円形または略半円形の筒または溝を設けたことを特徴とする腕枕。
【発明の詳細な説明】
【技術分野】
【０００１】
本発明は、寝具に属する枕に関するものである。
【背景技術】
【０００２】
従来は安眠用に動揺を与えたり、冷気を入れないため首周りを覆うものなどがあった。
また、籐で編んだ枕には中心を貫通する穴が空いているものもあったが本発明の目的に添うものはなかった。
【特許文献１】特開２００３−１００２３
【特許文献２】特開平６−３１６５
【発明の開示】
【発明が解決しようとする課題】
【０００３】
夫婦が寝食を共にするのは普通のことである。特に若い夫婦の場合、入眠時に妻が夫の腕を枕にすることはよくあることであり、これが幸福感を募らせ家庭円満につながる。ところが、人間の頭は意外に重く、夫の方はすぐに腕がしびれてきて妻が寝入るまでその状態を取り続けることがなかなか難しい。
【課題を解決するための手段】
【０００４】
前記課題を解決するために、
〔１〕枕であってこれを使用した状態において人間の体軸方向を「縦」、該体軸と直角方向を「横」、頭上の方向を「上」、足下の方向を「下」、重力の方向を「低」、重力と逆の方向を「高」としたとき、低層に硬質板を置き高層に枕材をおいた２重構造の腕枕であって、この硬質板は枕材に接する高面のほぼ横半分に下方に突き出た庇を設け、この硬質板及び庇を含む全高面を枕材で覆ったことを特徴とする。
【０００５】
〔２〕枕であってこれを使用した状態において人間の体軸方向を「縦」、該体軸と直角方向を「横」、頭上の方向を「上」、足下の方向を「下」、重力の方向を「低」、重力と逆の方向を「高」としたとき、この枕のほぼ中央からの横半分を下方に伸ばし、この下方に伸ばした部分の底面に、矩形、凹形、ほぼ円形またはほぼ半円形の筒または溝を設けたことを特徴とする。
【０００６】
〔３〕ほぼ中央に腕を貫通させて隣人に使用させる腕枕であって、頭を乗せる座面が腕を貸す者のほぼ肩部までを覆い、底面に腕を貫通させる矩形、凹形、ほぼ円形またはほぼ半円形の筒または溝を設け、この筒または溝の壁となる入り口をその腕を貸す者の脇内まで切り欠いたことを特徴とする。
【０００７】
〔４〕ほぼ中央に腕を貫通させて隣人に使用させる腕枕であって、底面に腕を貫通させる矩形、凹形、ほぼ円形またはほぼ半円形の筒または溝を設けたことを特徴とする。
【発明の効果】
【０００８】
本発明の腕枕を使用すれば、夫の腕は前記庇或いは矩形またはほぼ円形の筒の中、或いは逆凹形または上を凸とした半円筒形の溝の下を通ることになり、妻の頭の重さによる加重を受けないで、あたかも自分の腕を妻の枕の変わりとして提供する状態になる。このため夫婦和合度が増大する。新婚夫婦への贈答品として最適である。
【発明を実施するための最良の形態】
【０００９】
通常妻が夫の腕を「腕枕」とする場合、妻の頭は夫の腕の上腕部だけでなく、肩までを含む部分に置かれる場合が多い。このため前記庇或いは矩形またはほぼ円形の筒或いは逆凹形または上に凸としたほぼ半円筒形の溝は肩を十分に覆う大きさであることが望ましい。
【実施例１】
【００１０】
実施例１について図１〜図３により説明する。図１は本発明による腕枕の使用状態を示している。硬質板１の右下に庇２が付き出している。これら全体を枕材３が覆い本発明の「腕枕」となっている。枕材３は、中央部分の、庇２にかかって下に伸びる部分と庇２にかからない部分の間には切り込み４が入っており、男性５の肩がこの切り込み４から庇２の下に入るので女性６の頭を抱きかかえるようにできる。図２は硬質板１を別に示したもので、下に出張った部分が庇２である。本実施例では硬質板１と枕材３の境界は直線的であるが、人間の頭の形に合わせて曲面状とするのが一般的である。この場合庇２も硬質板の形状に合わせて曲線的にするのが望ましい。
【００１１】
図３は実施例１の図１に示す使用状態での腕枕の構成を示している。枕材３は一般のそば殻や羽毛、粒状ウレタン等何であってもかまわないが、ほぼ一定の厚みを持ち内部で散らばらないものが適している。特に、硬質板１からはみ出た外側部分に枕の内贓物があまりたまり過ぎないよう縫い目を細かくするなどの配慮が望ましい。また、硬質板１はスチロール板７を上下からプラスチック板８で補強し、庇２は補強したプラスチック板をそのまま使用している。底面や高面（上面）はスポンジ板で覆い、特に底面は強い布でカバーすることが望ましい。
【実施例２】
【００１２】
実施例２について図４と図５により説明する。図４において、腕枕左半分９と腕枕右半分１０は縫い合わされて一体となっている。腕枕右半分１０は下方（足下の方向）に長く伸びており、その伸びた部分の底面に溝１１が付いている。この溝１１の中に腕を通して腕枕とする。溝１１は必ずしも剛体でなく、ある程度の強度を持つスポンジ状のものでもかまわない。この場合、例え腕にかかる頭の荷重を弱める効果だけしかないとしても本発明に該当するものである。後述する実施例３のように、溝１１の脇下に当たる部分を切り欠いてもかまわない。使用状態は実施例１と同じであり説明は省略する。
【００１３】
図５は図４の状態を左側から見たものである。図４では溝１１を上に凸とした半円筒のものとしているがこれは当然逆凹形の溝であってもよい。
【実施例３】
【００１４】
実施例３について図６〜図８により説明する。図６においても溝１１は上に凸とした略半円筒形のものとしているが、既に述べたように逆凹形であってもよい。この腕枕の特徴は、図７及び図８に示すように、座面１２は肩まで覆うように長く伸びているが、溝１１に腕を入れたときに脇に当たる部分は、切り欠き１３のように右端からの長さが短くなっている。図８は腕を差し込んだ状態を示している。この腕枕は溝１１の壁に相当する部分に強度の強いスポンジ等を使用するのが適しているが、相応の強度を持つものであれば何でもよい。この場合前述のように、例え腕にかかる頭の荷重を弱める効果だけしかないとしても本発明に含まれるものである。当然のことながら、実際に実施する場合は図６〜図８のように表面がツルンとしたものでなく、波形にしたりヒダを付けたりして変化を持たせるようにする。
【実施例４】
【００１５】
実施例４について図９により説明する。これは上腕部のみに通す腕枕であって、図７の腕枕を切り欠き１３の部分で切断したものと思えばよい。全体はスポンジ１４でできているが、溝１１の壁に相当する部分にだけ強度を持たせれば、他の部分は通常の枕材なら何でもよい。
【産業上の利用可能性】
【００１６】
新婚家庭への贈答品として最適である。
【図面の簡単な説明】
【００１７】
【図１】実施例１の使用形態の説明図である。
【図２】実施例１に使用する硬質板の説明図である。
【図３】実施例１の構成の説明図である。
【図４】実施例２の説明図（平面図）である。
【図５】実施例２の説明図（左側面図）である。
【図６】実施例３の説明図（左側面図）である。
【図７】実施例３の説明図（下側面図）である。
【図８】実施例３の使用状態の説明図（平面図）である。
【図９】実施例４の説明図（左側面図）である。
【符号の説明】
【００１８】
１  硬質板
２  庇
３  枕材
４  切り込み
５  男性
６  女性
７  スチロール板
８  プラスチック板
９  腕枕左半分
１０  腕枕右半分
１１  溝
１２  座面
１３  切り欠き
１４  スポンジ
【図１】
2006034329.tif 000003
【図２】
2006034329.tif 000004
【図３】
2006034329.tif 000005
【図４】
2006034329.tif 000006
【図５】
2006034329.tif 000007
【図６】
2006034329.tif 000008
【図７】
2006034329.tif 000009
【図８】
2006034329.tif 000010
【図９】
2006034329.tif 000011